(57)【特許請求の範囲】
【請求項１】
目地部を介して設けられた左右の建物の一方の建物の外壁面より離れた目地部側の上部位置を除く他方の建物の外壁面に突出躯体を有する部位に設置される目地装置において、前記突出躯体の上部壁より高い位置の、前記一方の建物の目地部側の外壁面および、この外壁面と対応する部位の前記他方の建物の外壁面とに伸縮自在の一端部が枢支され、他端部が前記突出躯体の上面および上部前面をスライド移動可能に覆うように傾斜状態に取付けられた上面用目地装置と、一端部が前記一方の建物の目地部側の外壁面に枢支され、他端部が一方の建物の目地部側の外壁面と対応する部位の前記他方の建物の外壁面に枢支された下端部が前記上面用目地装置上に位置する伸縮可能な上部壁面用目地装置と、一端部が前記一方の建物の目地部側の外壁面に枢支され、他端部が該外壁面と対応する部位の前記他方の突出躯体の外壁面に枢支され、かつ上端部が前記上面用目地装置で覆われた下部壁面用目地装置とからなることを特徴とする目地装置。
【請求項２】
上面用目地装置は突出躯体の上部壁より高い位置の一方の建物の目地部側の外壁面に一端部が枢支され、他端部が該外壁面と対応する部位の他方の建物の外壁面に枢支された伸縮可能なパンタグラフ形状の伸縮リンクと、この伸縮リンクの中央枢支部に一端部寄りの部位に取付けられた枢支ピンで枢支され、他端部が他方の建物の突出躯体の上面壁に所定間隔でスライド移動可能に取付けられた複数個の支持アームと、この複数個の支持アームの外側の支持アームを除く他の支持アームに後端部が取付けられ、先端部が重なり合う複数枚の目地カバーと、前記複数個の支持アームの外側の支持アームに取付けられたアングル状で、上面に位置する部位が前記外側に位置する目地カバーと重なり合う側部目地カバーと、前記複数個の支持アームの先端部を収縮方向に付勢する付勢装置とで構成されていることを特徴とする請求項１記載の目地装置。
【発明の詳細な説明】
【技術分野】
【０００１】
本発明は左右の建物間に生じる３面の目地部を覆う目地装置に関する。
【背景技術】
【０００２】
従来、左右の建物間の天井部分の目地部を覆う笠木装置や、笠木装置と左右の建物間の外壁面間を覆う外壁用目地装置とを組み合わせた目地装置が考えられ、使用されているが、外壁用目地装置の上端部を除く部位に笠木装置（上面目地装置）は外壁用目地装置によって設置することができなかった。
【先行技術文献】
【特許文献】
【０００３】
【特許文献１】特許第３８１３８７８号公報
【特許文献２】特許第３３５４１１９号公報
【発明の概要】
【発明が解決しようとする課題】
【０００４】
本発明は以上のような従来の欠点に鑑み、左右の建物間に３面の目地部を有する部分を伸縮可能に覆って、有効スペースを確保するとともに、３面の目地部をそれぞれ伸縮させ、地震での揺れ動きを損傷することなく吸収することができる目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の一方の建物の外壁面より離れた目地部側の上部位置を除く他方の建物の外壁面に突出躯体を有する部位に設置される目地装置において、前記突出躯体の上部壁より高い位置の、前記一方の建物の目地部側の外壁面および、この外壁面と対応する部位の前記他方の建物の外壁面とに伸縮自在の一端部が枢支され、他端部が前記突出躯体の上面および上部前面をスライド移動可能に覆うように傾斜状態に取付けられた上面用目地装置と、一端部が前記一方の建物の目地部側の外壁面に枢支され、他端部が一方の建物の目地部側の外壁面と対応する部位の前記他方の建物の外壁面に枢支された下端部が前記上面用目地装置上に位置する伸縮可能な上部壁面用目地装置と、一端部が前記一方の建物の目地部側の外壁面に枢支され、他端部が該外壁面と対応する部位の前記他方の突出躯体の外壁面に枢支され、かつ上端部が前記上面用目地装置で覆われた下部壁面用目地装置とで目地装置を構成している。
【発明の効果】
【０００７】
以上の説明から明らかなように、本発明にあっては次に列挙する効果が得られる。
（１）請求項１により、左右の建物間の３面の目地部を上面用目地装置、上部壁面用目地装置および下部壁面用目地装置で伸縮可能に覆うことができる。
したがって、上面用目地装置、上部壁面用目地装置および下部壁面用目地装置で覆われるスペースができ、室内と同様に使用することができる。
（２）前記（１）によって、左右の建物が異なる前後左右方向に揺れ動いても、その揺れ動きを損傷することなく吸収することができる。
（３）前記（１）によって、上面用目地装置が傾斜状態で取付けられ、該上面用目地装置の上面側の上面に上部壁面用目地装置を設けているので、上部壁面用目地装置から落下される雨水を上面用目地装置に受けさせることができ、雨水の処理を簡単にできる。
（４）請求項２も前記（１）〜（３）と同様な効果が得られるとともに、地震での左右の建物の異なる前後左右方向の揺れ動きを効率よく吸収して、上面用目地装置の損傷を防止することができる。
【図面の簡単な説明】
【０００８】
【図１】本発明を実施するための第１の形態の平面図。
【図２】図１の２−２線に沿う断面図。
【図３】図１の３−３線に沿う断面図。
【図４】図１の４−４線に沿う断面図。
【図５】本発明を実施するための第１の形態の概略斜視図。
【図６】本発明を実施するための第１の形態の上面用目地装置の説明図。
【図７】本発明を実施するための第１の形態の目地カバーを除去した上面用目地装置の説明図。
【図８】本発明を実施するための第１の形態の目地カバーを除去した上面用目地装置の収納状態の説明図。
【図９】本発明を実施するための第１の形態の目地部が狭くなる動作説明図。
【図１０】本発明を実施するための第１の形態の目地部が狭くなる異なる部分の動作説明図。
【図１１】本発明を実施するための第１の形態の目地部が広くなる動作説明図。
【図１２】本発明を実施するための第１の形態の目地部が広くなる異なる部分の動作説明図。
【図１３】本発明を実施するための第１の形態の異なる前後方向の動作説明図。
【図１４】本発明を実施するための第１の形態の異なる前後方向の異なる部分の動作説明図。
【図１５】本発明を実施するための第２の形態の平面図。
【図１６】図１５の１６−１６線に沿う断面図。
【図１７】図１５の１７−１７線に沿う断面図。
【図１８】本発明を実施するための第３の形態の平面図。
【図１９】図１８の１９−１９線に沿う断面図。
【図２０】図１８の２０−２０線に沿う断面図。
【発明を実施するための形態】
【０００９】
以下、図面に示す本発明を実施するための形態により、本発明を詳細に説明する。
【００１０】
図１ないし図１４に示す本発明を実施するための第１の形態において、１は目地部２を介して設けられた左右の建物３、３の一方の建物３の外壁面３ａより離れた目地部側の上部位置を除く他方の建物３の外壁面３ａに突出躯体４を有する３面に目地部２、２、２ができる部分を伸縮可能に覆って、地震の揺れ動きを吸収することができる本発明の目地装置で、この目地装置１は前記突出躯体４の上部壁４ａより高い位置の、前記一方の建物３の目地部側の外壁面３ａおよび、この外壁面３ａと対応する部位の他方の建物３の外壁面３ａとに伸縮自在の一端部が枢支され、他端部が前記突出躯体４の上面および上部前面をスライド移動可能に覆うように傾斜状態に取付けられた上面用目地装置５と、一端部が前記一方の建物３の目地部側の上部外壁面３ａに枢支され、他端部が前記一方の建物３の目地部側の上部外壁面３ａと対応する部位の、前記他方の建物３の上部外壁面３ａに枢支された下端部が前記上面用目地装置５上に位置する伸縮可能な上部壁面用目地装置６と、一端部が前記一方の建物３の目地部側の下部外壁面３ａに枢支され、他端部が該外壁面３ａと対応する部位の前記他方の建物３の突出躯体４の外壁面４ｂに枢支され、かつ上面が前記上面用目地装置５で覆われた下部壁面用目地装置７とで構成されている。
【００１１】
前記上面用目地装置５は図６ないし図８に示すように、突出躯体４の上部壁４ａより高い位置の一方の建物３の目地部側の外壁面３ａに固定された一方の蝶番８の可動部材８ａに取付けられ、他端部が該外壁面３ａと対応する部位の他方の建物３の外壁面３ａに固定された他方の蝶番９の可動部材９ａに取付けられた伸縮可能なパンタグラフ形状の伸縮リンク１０と、この伸縮リンク１０の複数個の中央枢支軸１１にそれぞれほぼ中央部が固定された筒状の軸受１２と、この筒状の軸受１２に回動可能に支持される軸１３が一端部に固定され、他端部が前記他方の建物３の突出躯体４の上面壁４ａにローラ１４を介してスライド移動可能に取付けられた、一側面にコ字状の目地カバー取付レール１５を備える複数個の支持アーム１６と、この複数個の支持アーム１６の外側支持アーム１６を除く他の支持アーム１６の目地カバー取付レール１５内に挿入されるコ字状の後端部がスプリング１７を介したビス１８を複数個用いて取付けられ、先端部が重なり合う該複数個の支持アーム１６を覆う複数枚の目地カバー１９と、前記複数個の支持アーム１６の外側の支持アーム１６に取付けられたアングル状で、上面に位置する部位が前記外側に位置する目地カバー１９と重なり合う側部目地カバー２０と、前記複数個の支持アーム１６の先端部を所定間隔で収縮方向に付勢する付勢スプリング２１を用いた付勢装置２２とで構成されている。
【００１２】
前記上部壁面用目地装置６は一端部が前記一方の建物３の目地部側の上部外壁面３ａの上下部に取付けられた一方のヒンジ部材２３、２３と、この一方のヒンジ部材２３、２３と対応する部位の、他方の建物３の目地部側の上部外壁面３ａの上下部に取付けられた他方のヒンジ部材２４、２４と、この他方のヒンジ部材２４、２４に一端部が枢支ピン２５、２５で枢支され、他端部が枢支ピン２５、２５で前記一方のヒンジ部材２３、２３に枢支されたパンタングラフ形状の伸縮リンク２６、２６と、この伸縮リンク２６、２６の中央枢支部２７、２７に枢支ピン２８、２８で取付けられた支持アーム２９と、この支持アーム２９、２９に中央部が取付けられた中央目地カバー３０と、前記一方のヒンジ部材２３、２３と他方のヒンジ部材２４、２４に後端部が固定され、先端部が前記中央目地カバー３０の内側端部と重なり合う先端に、該中央目地カバー３０との嵌合を容易にする傾斜面のガイド片３１、３１を有する一対の端部目地カバー３２、３２と、この一対の端部目地カバー３２、３２の内側に一対の端部目地カバー３２、３２の左右方向の移動によって左右方向にスライド移動可能に取付けられた一対の補助目地カバー３３、３３と、この一対の補助目地カバー３３、３３の内側端部が前記中央目地カバー３０の端部より外方に突出することなく左右方向にスライド移動可能に支持する、前記支持アーム２９に取付けられた少なくとも２個以上の補助目地カバー支持体３４、３４とで構成されている。
【００１３】
前記下部壁面用目地装置７は前記上部壁面用目地装置６と同じ構成のものが使用されている。
【００１４】
上記構成の目地装置１は、通常時には左右の建物３、３間の上部目地部２は上部壁面用目地装置６で覆われ、左右の建物３、３の外壁面３ａ、３ａとの間と突出躯体４の上面壁４ａとの間の天井目地部２は上面用目地装置５で覆われ、一方の建物３の目地部側の外壁面３ａと突出躯体４の外壁面４ｂとの間の下部目地部２は下部壁面用目地装置７で覆われ、上部壁面用目地装置６からの雨水は上面用目地装置５で受け、下部壁面用目地装置７の雨水は下部へ排水され、上部壁面用目地装置６、上面用目地装置５および下部壁面用目地装置７で覆われたスペース内には雨水が浸入するのを確実に防止できる。
【００１５】
地震で左右の建物３、３が異なる左右方向に揺れ動き、目地部２が狭くなるように揺れ動くと、図９および図１０に示すように、上部壁面用目地装置６は収縮してその揺れ動きを吸収するとともに、上面用目地装置５の伸縮リンク１０が収縮し、複数枚の目地カバー１９の重なりが大きくなってその揺れ動きを吸収する。
【００１６】
この時、下部壁面用目地装置７は一方のヒンジ部材２３、２３と他方のヒンジ部材２４、２４の回動によって、その揺れ動きを吸収することができる。
【００１７】
地震で左右の建物３、３が異なる左右方向に揺れ動き、目地部２が広くなるように揺れ動くと、図１１および図１２に示すように、上部壁面用目地装置６は伸長してその揺れ動きを吸収するとともに、上面用目地装置５の伸縮リンク１０が伸長して、複数枚の目地カバー１９の重なりが小さくなって、その揺れ動きを吸収する。
【００１８】
この時、下部壁面用目地装置７は一方のヒンジ部材２３、２３と他方のヒンジ部材２４、２４の回動によって、その揺れ動きを吸収することができる。
【００１９】
地震で左右の建物３、３が異なる前後方向に揺れ動くと、図１３および図１４にしますように、上部壁面用目地装置６は一方のヒンジ部材２３、２３と他方のヒンジ部材２４、２４によって、その揺れ動きを吸収するとともに、上面用目地装置５の伸縮リンク１０の両端部の蝶番８と他方の蝶番９の回動によって、複数枚の目地カバー１９を前後方向にスライド移動させてその揺れ動きを吸収する。
【００２０】
この時、下部壁面用目地装置７は伸長したり、収縮したりして、その揺れ動きを吸収する。
【００２１】
[発明を実施するための異なる形態]
次に、図１５ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図１５ないし図１７に示す本発明を実施するための第２の形態において、前記本発明を実施するための第１の形態と主に異なる点は、後端部がＬ字状に曲げられた複数枚の目地カバー１９Ａを直接複数本のビス３５で支持アーム１６に取付けた上面用目地装置５Ａを用いた点で、このように構成した上面用目地装置５Ａを用いた目地装置１Ａにしても、前記本発明を実施するための第１の形態と同様な作用効果が得られる。
【００２３】
図１８ないし図２０に示す本発明を実施するための第３の形態において、前記本発明を実施するための第１の形態と主に異なる点は、複数個の支持アーム１６の他端部にパンタグラフ形状の伸縮リンク３６を取付けて、所定間隔に維持させるとともに、前後方向に移動しても、その移動に追従できるようにした上面用目地装置５Ｂを用いた点で、このように構成した上面用目地装置５Ｂを用いた目地装置１Ｂにしても、前記本発明を実施するための第１の形態と同様な作用効果が得られる。
【００２４】
なお、前記本発明を実施するための各形態では上部壁面用目地装置６および下部壁面用目地装置７として中央目地カバー３０、一対の端部目地カバー３２、３２、一対の補助目地カバー３４、３４を用いたものについて説明したが、地震で左右の建物３、３が異なる前後左右方向に揺れ動いても、その揺れ動きを吸収することができる既存の構成のものであれば、どんな構成のものを用いてもよい。
【産業上の利用可能性】
【００２５】
本発明は左右の建物間に３面の目地部が生じる所に設置することができる目地装置を製造する産業で利用される。
【符号の説明】
【００２６】
１、１Ａ、１Ｂ：目地装置、  ２：目地部、
３：建物、        ４：突出躯体、
５、５Ａ、５Ｂ：上面用目地装置、  
６：上部壁面用目地装置、    ７：下部壁面用目地装置、
８：一方の蝶番、      ９：他方の蝶番、
１０：伸縮リンク、      １１：中央枢支軸、
１２：筒状の軸受、      １３：軸、
１４：ローラ、      １５：目地カバー取付レール、
１６：支持アーム、      １７：スプリング、
１８：ビス、        １９、１９Ａ：目地カバー、
２０：側部目地カバー、    ２１：付勢スプリング、
２２：付勢装置、      ２３：一方のヒンジ部材、
２４：他方のヒンジ部材、    ２５：枢支ピン、
２６：伸縮リンク、      ２７：中央枢支部、
２８：枢支ピン、      ２９：支持アーム、
３０：中央目地カバー、    ３１：ガイド片、
３２：端部目地カバー、    ３３：補助目地カバー、
３４：補助目地カバー支持体、  ３５：ビス、
３６：伸縮リンク。
【図１】
0005605955.tif 000002
【図２】
0005605955.tif 000003
【図３】
0005605955.tif 000004
【図４】
0005605955.tif 000005
【図５】
0005605955.tif 000006
【図６】
0005605955.tif 000007
【図７】
0005605955.tif 000008
【図８】
0005605955.tif 000009
【図９】
0005605955.tif 000010
【図１０】
0005605955.tif 000011
【図１１】
0005605955.tif 000012
【図１２】
0005605955.tif 000013
【図１３】
0005605955.tif 000014
【図１４】
0005605955.tif 000015
【図１５】
0005605955.tif 000016
【図１６】
0005605955.tif 000017
【図１７】
0005605955.tif 000018
【図１８】
0005605955.tif 000019
【図１９】
0005605955.tif 000020
【図２０】
0005605955.tif 000021